(57)【要約】【課題】ステレオスコピックビデオサービスのためのシグナリング方法及びその方法を使用する装置を提供する。【解決手段】映像復号化方法は、プログラムレベルディスクリプタを復号するにあたり、放送サービスタイプ及びディスプレーモードに基づくフィールド値を判断するステップ；及び、エレメンタリストリームレベルディスクリプタを復号するにあたり、符号化されたストリームタイプ、エレメンタリストリームが基準ストリームかどうか、エレメンタリストリームが左映像か右映像か、付加映像のアップサンプリング情報、サブサンプリングされたラインの情報を判断するステップ；を含むことができる。したがって、ステレオスコピックビデオコンテンツの付加映像を符号化/復号化する効率が増加されることができる。
2013545361.tif 000002
【特許請求の範囲】
【請求項１】
プログラムレベルディスクリプタを復号するにあたり、放送サービスタイプ及び２Ｄディスプレーモードを使用時にディスプレーされるストリーム情報を判断するステップ；及び、
エレメンタリストリームレベルディスクリプタを復号するにあたり、符号化されたストリームタイプ、エレメンタリストリームが基準ストリームかどうか、エレメンタリストリームが左映像か右映像か、付加映像のアップサンプリング情報、サブサンプリングされたラインの情報を判断するステップ；を含む映像復号方法。
【請求項２】
プログラムレベルディスクリプタを復号するにあたり、２Ｄ放送サービスと３Ｄ放送サービスが混在されているかどうかを判断するステップ；及び、
エレメンタリストリームレベルディスクリプタを復号するにあたり、ＰＩＤ情報に基づいて基準映像ストリームと付加映像ストリームを連関させるステップ；をさらに含む請求項１に記載の映像復号方法。
【請求項３】
プログラムレベルディスクリプタを復号するにあたり、二つのエレメンタリストリームのうち少なくとも一つのエレメンタリストリームが別途のチャネルに送信されるかどうかを判断するステップ；
前記別途のチャネルに送信されるエレメンタリストリームを含んでいる送信ストリームのＩＤ値を復号するステップ；
前記別途のチャネルに送信されるエレメンタリストリームを含んでいるプログラムを規定するフィールド値を復号するステップ；及び、
現在チャネルに基準映像ストリームが含まれているかどうかを判断するステップのうち少なくとも一つのステップ；をさらに含む請求項１に記載の映像復号方法。
【請求項４】
３Ｄ映像コンテンツを２Ｄディスプレーモードに視聴時、適した映像を識別するためのフィールド情報を判断するステップをさらに含む請求項１に記載の映像復号方法。
【請求項５】
エレメンタリストリームレベルで基準映像ディスクリプタを復号するにあたり、左映像か右映像かを判断するステップ；
前記エレメンタリストリームレベルで付加映像ディスクリプタを復号するにあたり、付加映像のアップサンプリング情報を判断し、付加映像のサブサンプリングライン情報を判断するステップ；を含む映像復号方法。
【請求項６】
前記エレメンタリストリームレベルで前記付加映像ディスクリプタを復号するにあたり、左映像か右映像かを判断するステップをさらに含む請求項５に記載の映像復号方法。
【請求項７】
前記エレメンタリストリームレベルで前記付加映像ディスクリプタを復号するにあたり、符号化されたストリームのタイプを判断するステップをさらに含む請求項５に記載の映像復号方法。
【請求項８】
前記エレメンタリストリームが基準映像ストリームか付加映像ストリームかを判断するステップをさらに含む請求項５に記載の映像復号方法。
【請求項９】
前記エレメンタリストリームレベルで前記付加映像ディスクリプタを復号するにあたり、ＰＩＤ情報に基づいて基準映像ストリームと付加映像ストリームを連関させるステップをさらに含む請求項５に記載の映像復号方法。
【請求項１０】
前記エレメンタリストリームレベルで前記基準映像ディスクリプタを復号するにあたり、ＰＩＤ情報に基づいて基準映像ストリームと付加映像ストリームを連関させるステップをさらに含む請求項５に記載の映像復号方法。
【請求項１１】
前記エレメンタリストリームレベルで前記付加映像ディスクリプタを復号するにあたり、２Ｄ放送サービスと３Ｄ放送サービスが混在されているかどうかを判断するステップをさらに含む請求項５に記載の映像復号方法。
【請求項１２】
プログラムレベルディスクリプタとエレメンタリストリームレベルディスクリプタを各々復号し、左映像ビデオＰＥＳ(Ｐａｃｋｅｔｉｚｅｄ ｅｌｅｍｅｎｔａｒｙ ｓｔｒｅａｍ)パケット、右映像ＰＥＳパケット、オーディオＰＥＳパケットを逆多重化する逆多重化器；及び、
前記逆多重化された左映像ビデオＰＥＳパケット、右映像ＰＥＳパケット、オーディオＰＥＳパケットを逆パケット化し、左映像ビデオエレメンタリストリーム、右映像ビデオエレメンタリストリーム、オーディオエレメンタリストリームを生成するＰＥＳ逆パケット化器；を含む復号化装置。
【請求項１３】
前記逆多重化器は、プログラムレベルディスクリプタから放送サービスタイプ及び２Ｄディスプレーモードを使用時にディスプレーされるストリーム情報によるフィールド値情報の提供を受け、エレメンタリストリームレベルディスクリプタから符号化されたストリームタイプ、エレメンタリストリームが基準ストリームかどうか、エレメンタリストリームが左映像か右映像か、付加映像のアップサンプリング情報、サブサンプリングされたラインの情報の提供を受けて逆多重化を実行する逆多重化器である請求項１２に記載の復号化装置。
【請求項１４】
前記逆多重化器は、プログラムレベルディスクリプタで２Ｄ放送サービスと３Ｄ放送サービスが混在されているかどうかを判断し、エレメンタリストリームレベルディスクリプタを復号するにあたり、ＰＩＤ情報に基づいて基準映像ストリームと付加映像ストリームを連関させる逆多重化器である請求項１３に記載の復号化装置。
【請求項１５】
前記逆多重化器は、エレメンタリストリームレベルで基準映像ディスクリプタを復号するにあたり、左映像か右映像かを判断し、前記エレメンタリストリームレベルで付加映像ディスクリプタを復号するにあたり、付加映像のアップサンプリング情報を判断し、付加映像のサブサンプリングライン情報を判断する逆多重化器である請求項１２に記載の復号化装置。
【請求項１６】
前記逆多重化器は、前記エレメンタリストリームレベルで前記付加映像ディスクリプタを復号するにあたり、左映像か右映像かを判断する逆多重化器である請求項１５に記載の復号化装置。
【請求項１７】
前記逆多重化器は、前記エレメンタリストリームが基準映像ストリームか付加映像ストリームかを判断する逆多重化器である請求項１５に記載の復号化装置。
【請求項１８】
前記逆多重化器は、前記エレメンタリストリームレベルで前記基準映像ディスクリプタを復号するにあたり、ＰＩＤ情報に基づいて基準映像ストリームと付加映像ストリームを連関させるステップをさらに含む逆多重化器である請求項１５に記載の復号化装置。
【請求項１９】
前記逆多重化器は、前記エレメンタリストリームレベルで前記付加映像ディスクリプタを復号するにあたり、２Ｄ放送サービスと３Ｄ放送サービスが混在されているかどうかを判断する逆多重化器である請求項１５に記載の復号化装置。
【請求項２０】
前記逆多重化器は、プログラムレベルディスクリプタを復号するにあたり、二つのエレメンタリストリームのうち少なくとも一つのエレメンタリストリームが別途のチャネルに送信されるかどうかを判断し、前記別途のチャネルに送信されるエレメンタリストリームを含んでいる送信ストリームのＩＤ値を復号し、前記別途のチャネルに送信されるエレメンタリストリームを含んでいるプログラムを規定するフィールド値を復号する逆多重化器である請求項１２に記載の復号化装置。
【発明の詳細な説明】
【技術分野】
【０００１】
本発明は、ステレオスコピックビデオサービスのためのシグナリング方法及びその方法を使用する装置に関し、より詳しくは、復号化方法及び装置に関する。
【背景技術】
【０００２】
人間は情報の８０％以上を目を通して取り入れる。人間に視覚による情報伝達はそれほど非常に重要な比重を占める。３次元立体映像とは、人間が現実で感じることと同じ現場感を提供する映像であり、一般２次元映像に追加に深さと臨場感を共に提供し、このような情報を提供する方法として深度図情報(ｄｅｐｔｈ−ｍａｐ)及びステレオスコピック映像のような３次元立体技術が発展した。深度図情報は２次元映像で深さ情報を使用して立体効果を示すが、映像の正確な深さ情報を獲得しにくいため、まだ広く使われていない。
【０００３】
ステレオスコピック映像は、ステレオスコピックカメラを介して獲得した左/右の２次元映像を使用して左/右の目の位置差により互いに異なる映像が入り、脳はそれを立体に受け入れて距離感を有するようになる過程でユーザが立体感を感じることができる。ステレオスコピック映像の左右映像の構成方法は非常に多様が、現在幅広く活用される方法として、大きく、一つのエレメンタリストリーム(ｅｌｅｍｅｎｔａｒｙ ｓｔｒｅａｍ；ＥＳ)又は二つのエレメンタリストリームに基づく方法がある。一つのエレメンタリストリームに基づく映像構成方法は、画面分割(ｓｉｄｅ−ｂｙ−ｓｉｄｅ)、隔列走査(ｌｉｎｅ ｉｎｔｅｒｌｅａｖｅｄ)及び順次フレーム(ｆｒａｍｅ ｓｅｑｕｅｎｔｉａｌ)等を介して左右映像を一つの合成された映像(ｃｏｍｐｏｕｎｄ Ｉｍａｇｅ)で構成する方法であり、二つのエレメンタリストリームに基づく構成方法は、左右映像を各々独立されたストリームで構成する方法である。
【０００４】
現在ステレオスコピック映像は、モバイル端末機、テレビなどのように多様な装置で適用されている。しかし、このようなステレオスコピック映像を格納するための共通のファイルフォーマット及び送信するための送信規格が定義されていないため、該当ステレオスコピック映像の活用度拡散に問題点として作用された。
【０００５】
このような問題点を解決するために、国際標準化機関であるＭＰＥＧでは“Ａｕｘｉｌｉａｒｙ ｄａｔａ ｏｖｅｒ ＭＰＥＧ−２ Ｔｒａｎｓｐｏｒｔ Ｓｔｒｅａｍ”という規格制定を介してステレオスコピック映像の深度図情報イメージを映像でない一つの付加データとして処理して送信するようにし、また、ステレオスコピックコンテンツの格納を目的とする共通の格納フォーマット標準である“Ｓｔｅｒｅｏｓｃｏｐｉｃ Ｖｉｄｅｏ Ａｐｐｌｉｃａｔｉｏｎ Ｆｏｒｍａｔ”を制定することで、コンテンツ間の互換性を確保してさらに多様なステレオスコピックコンテンツの市場拡散を可能にした。しかし、上記の標準は、各々、ステレオスコピックコンテンツを格納するためのファイルフォーマットと深度図情報映像区別のための規格であり、一つ又は二つのエレメンタリストリームを介して構成されたステレオスコピックコンテンツを送信するための、特に、デジタル放送送信環境であるＭＰＥＧ−２送信ストリーム(ＴＳ)に適用するにはその限界がある。
【０００６】
既存のＭＰＥＧ−２送信ストリームは、２Ｄ映像に基づく一個のエレメンタリストリームで構成された２次元映像の送信のために考案された。したがって、左右映像を各々独立的な二つのエレメンタリストリームで構成するステレオスコピック映像構成方法である場合、既存のＭＰＥＧ−２送信ストリームで送信するには制約がある。また、ステレオスコピック映像が一つのエレメンタリストリームで構成される場合、左右映像が合成されて一つの映像で構成されるため、既存のＭＰＥＧ−２送信ストリームで送信は可能である一方、送信された合成映像の構成情報を把握することができないため、ステレオスコピック映像でない２Ｄ映像と認識して処理する限界がある。
【発明の概要】
【発明が解決しようとする課題】
【０００７】
本発明の目的は、ステレオスコピックビデオコンテンツの復号化方法を提供することである。
【０００８】
また、本発明の他の目的は、ステレオスコピックビデオコンテンツの復号化方法を実行する装置を提供することである。
【課題を解決するための手段】
【０００９】
前述した本発明の目的を達成するための本発明の一側面による映像復号方法は、プログラムレベルディスクリプタを復号するにあたり、放送サービスタイプ及びディスプレーモードに基づくフィールド値を判断するステップ；及び、エレメンタリストリームレベルディスクリプタを復号するにあたり、符号化されたストリームタイプ、エレメンタリストリームが基準ストリームかどうか、エレメンタリストリームが左映像か右映像か、付加映像のアップサンプリング情報、サブサンプリングされたラインの情報を判断するステップ；を含む。前記映像復号方法は、プログラムレベルディスクリプタを復号するにあたり、２Ｄ放送サービスと３Ｄ放送サービスが混在されているかどうかを判断するステップ；及び、エレメンタリストリームレベルディスクリプタを復号するにあたり、ＰＩＤ情報に基づいて基準映像ストリームと付加映像ストリームを連関させるステップ；をさらに含む。
【００１０】
前述した本発明の目的を達成するための本発明の他の側面による映像復号方法は、エレメンタリストリームレベルで基準映像ディスクリプタを復号するにあたり、左映像か右映像かを判断するステップ；前記エレメンタリストリームレベルで付加映像ディスクリプタを復号するにあたり、付加映像のアップサンプリング情報を判断し、付加映像のサブサンプリングライン情報を判断するステップ；を含むことができる。前記映像復号方法は、前記エレメンタリストリームレベルで前記付加映像ディスクリプタを復号するにあたり、左映像か右映像かを判断するステップをさらに含む。前記映像復号方法は、前記エレメンタリストリームレベルで前記付加映像ディスクリプタを復号するにあたり、符号化されたストリームのタイプを判断するステップをさらに含む。前記映像復号方法は、前記エレメンタリストリームが基準映像ストリームか付加映像ストリームかを判断するステップをさらに含む。前記映像復号方法は、前記エレメンタリストリームレベルで前記付加映像ディスクリプタを復号するにあたり、ＰＩＤ情報に基づいて基準映像ストリームと付加映像ストリームを連関させるステップをさらに含む。前記映像復号方法は、前記エレメンタリストリームレベルで前記基準映像ディスクリプタを復号するにあたり、ＰＩＤ情報に基づいて基準映像ストリームと付加映像ストリームを連関させるステップをさらに含む。前記映像復号方法は、前記エレメンタリストリームレベルで前記付加映像ディスクリプタを復号するにあたり、２Ｄ放送サービスと３Ｄ放送サービスが混在されているかどうかを判断するステップをさらに含む。前記映像復号方法は、レベルディスクリプタを復号するにあたり、二つのエレメンタリストリームのうち少なくとも一つのエレメンタリストリームが別途のチャネルに送信されるかどうかを判断するステップ、前記別途のチャネルに送信されるエレメンタリストリームを含んでいる送信ストリームのＩＤ値を復号するステップ；及び、前記別途のチャネルに送信されるエレメンタリストリームを含んでいるプログラムを規定するフィールド値を復号するステップ；をさらに含む。前記映像復号方法は、現在チャネルに基準映像ストリームが含まれているかどうかを判断するステップをさらに含む。
【００１１】
復号化装置は、プログラムレベルディスクリプタとエレメンタリストリームレベルディスクリプタを各々復号し、左映像ビデオＰＥＳ(Ｐａｃｋｅｔｉｚｅｄ ｅｌｅｍｅｎｔａｒｙ ｓｔｒｅａｍ)パケット、右映像ＰＥＳパケット、オーディオＰＥＳパケットを逆多重化する逆多重化器；及び、前記逆多重化された左映像ビデオＰＥＳパケット、右映像ＰＥＳパケット、オーディオＰＥＳパケットを逆パケット化し、左映像ビデオエレメンタリストリーム、右映像ビデオエレメンタリストリーム、オーディオエレメンタリストリームを生成するＰＥＳ逆パケット化器；を含む。前記逆多重化器は、プログラムレベルディスクリプタから放送サービスタイプ及びディスプレーモードに基づくフィールド値情報の提供を受け、エレメンタリストリームレベルディスクリプタから符号化されたストリームタイプ、エレメンタリストリームが基準ストリームかどうか、エレメンタリストリームが左映像か右映像か、付加映像のアップサンプリング情報、サブサンプリングされたラインの情報の提供を受けて逆多重化を実行する逆多重化器である。前記逆多重化器は、プログラムレベルディスクリプタで２Ｄ放送サービスと３Ｄ放送サービスが混在されているかどうかを判断し、エレメンタリストリームレベルディスクリプタを復号するにあたり、ＰＩＤ情報に基づいて基準映像ストリームと付加映像ストリームを連関させる逆多重化器である。前記逆多重化器は、エレメンタリストリームレベルで基準映像ディスクリプタを復号するにあたり、左映像か右映像かを判断し、前記エレメンタリストリームレベルで付加映像ディスクリプタを復号するにあたり、付加映像のアップサンプリング情報を判断し、付加映像のサブサンプリングライン情報を判断する逆多重化器である。前記逆多重化器は、前記エレメンタリストリームレベルで前記付加映像ディスクリプタを復号するにあたり、左映像か右映像かを判断する逆多重化器である。前記逆多重化器は、前記エレメンタリストリームが基準映像ストリームか付加映像ストリームかを判断する逆多重化器である。前記逆多重化器は、前記エレメンタリストリームレベルで前記基準映像ディスクリプタを復号するにあたり、ＰＩＤ情報に基づいて基準映像ストリームと付加映像ストリームを連関させるステップをさらに含む逆多重化器である。前記逆多重化器は、前記エレメンタリストリームレベルで前記付加映像ディスクリプタを復号するにあたり、２Ｄ放送サービスと３Ｄ放送サービスが混在されているかどうかを判断する逆多重化器である。前記逆多重化器は、プログラムレベルディスクリプタを復号するにあたり、二つのエレメンタリストリームのうち少なくとも一つのエレメンタリストリームが別途のチャネルに送信されるかどうかを判断し、前記別途のチャネルに送信されるエレメンタリストリームを含んでいる送信ストリームのＩＤ値を復号し、前記別途のチャネルに送信されるエレメンタリストリームを含んでいるプログラムを規定するフィールド値を復号する逆多重化器である。
【発明の効果】
【００１２】
前述したように、本発明の実施例に係るステレオスコピックビデオサービスのためのシグナリング方法及びその方法を使用する装置によると、既存のシグナリング方法に付加的なディスクリプタ情報を使用してステレオスコピックサービスを提供することができる。
【図面の簡単な説明】
【００１３】
【図１】本発明の実施例に係るプログラムレベルディスクリプタを符号化/復号化する方法を示すフローチャートである。
【図２】本発明の実施例に係るＥＳレベルディスクリプタを符号化/復号化する方法を示すフローチャートである。
【図３】本発明の実施例に係るプログラムレベルディスクリプタを符号化/復号化する方法を示すフローチャートである。
【図４】本発明の実施例に係るＥＳレベルディスクリプタを符号化/復号化する方法を示すフローチャートである。
【図５】本発明の実施例に係るエレメンタリストリームレベルディスクリプタを示すフローチャートである。
【図６】本発明の実施例に係るエレメンタリストリームレベルディスクリプタを示すフローチャートである。
【図７】本発明の他の実施例に係るディスクリプタを追加してステレオスコピック映像を符号化する装置を示すブロック図である。
【図８】本発明の他の実施例に係るディスクリプタを追加してステレオスコピック映像を復号化する装置を示すブロック図である。
【発明を実施するための形態】
【００１４】
以下、図面を参照して本発明の実施形態に対して具体的に説明する。本明細書の実施例を説明するにあたり、関連した公知構成又は機能に対する具体的な説明が本明細書の要旨を不明にすると判断される場合にはその詳細な説明は省略する。
【００１５】
一構成要素が他の構成要素に“連結されている”又は“接続されている”と言及された場合、その他の構成要素に直接的に連結されていたり、接続されていたりすることもできるが、中間に他の構成要素が存在することもできると理解されなれればならない。また、本発明において、特定構成を“含む”と記述する内容は、該当構成以外の構成を排除するものではなく、追加的な構成が本発明の実施又は本発明の技術的思想の範囲に含まれることができることを意味する。
【００１６】
第１、第２などの用語は、多様な構成要素を説明するときに使われることができるが、前記構成要素は、前記用語により限定されてはならない。前記用語は、一つの構成要素を他の構成要素から区別する目的にのみ使われる。例えば、本発明の権利範囲を外れない限り、第１の構成要素は第２の構成要素と命名することができ、同様に、第２の構成要素も第１の構成要素と命名することができる。
【００１７】
また、本発明の実施例に示す構成部は、互いに異なる特徴的な機能を示すために独立的に図示されるものであり、各構成部が分離されたハードウェアや一つのソフトウェア構成単位からなることを意味しない。即ち、各構成部は、説明の便宜上、それぞれの構成部に羅列して含むものであり、各構成部のうち少なくとも二つの構成部が統合されて一つの構成部からなり、又は一つの構成部が複数個の構成部に分けられて機能を遂行することができ、このような各構成部の統合された実施例及び分離された実施例も本発明の本質から外れない限り本発明の権利範囲に含まれる。
【００１８】
また、一部の構成要素は、本発明で本質的な機能を遂行する必須な構成要素ではなく、単に性能を向上させるための選択的構成要素であってもよい。本発明は、単に性能向上のために使われる構成要素を除外した本発明の本質を具現するための必須な構成部のみを含んで具現されることができ、単に性能向上のために使われる選択的構成要素を除外した必須構成要素のみを含む構造も本発明の権利範囲に含まれる。
【００１９】
以下の表１は、デジタル放送でプログラムの識別及び含まれる符号化ストリームの特性を提供するＰＭＴ(Ｐｒｏｇｒａｍ Ｍａｐ Ｔａｂｌｅ)の構造を示す。
【００２０】
【表１】
2013545361.tif 000003
【００２１】
表１を参照すると、送信ストリームのＰｒｏｇｒａｍ ｌｅｖｅｌとＥＳ ｌｅｖｅｌでディスクリプタ情報(ｄｅｓｃｒｉｐｔｏｒ)を使用してステレオスコピックサービスを提供するための追加的な情報を提供することができる。
【００２２】
追加的なディスクリプタを使用するステレオスコピックサービスを提供するための追加的な情報は、以下の通りである。
【００２３】
Ｓｔｅｒｅｏ_ｍｏｎｏ_ｓｅｒｖｉｖｅ_ｔｙｐｅ：放送プログラムの２Ｄ/３Ｄサービスタイプを区分するフィールドであり、サービスタイプによる意味は、以下の表２の通りである。
【００２４】
【表２】
2013545361.tif 000004
【００２５】
表２を参照すると、Ｓｔｅｒｅｏ_ｍｏｎｏ_ｓｅｒｖｉｃｅ_ｔｙｐｅが００１である場合、放送プログラムが２Ｄサービスを提供することを意味し、０１０である場合、Ｆｒａｍｅ−ｃｏｍｐａｔｉｂｌｅ ３Ｄ ｓｅｒｖｉｃｅが提供され、０１１である場合、Ｓｅｒｖｉｃｅ−ｃｏｍｐａｔｉｂｌｅ ３Ｄ ｓｅｒｖｉｃｅである場合を示す。
【００２６】
Ｆｒａｍｅ−ｃｏｍｐａｔｉｂｌｅ−３Ｄ ｓｅｒｖｉｃｅは、一つのフレーム内の左右映像が含まれるステレオスコピックビデオ(Ｅｘａｍｐｌｅ：ｓｉｄｅ ｂｙ ｓｉｄｅ、ｔｏｐ/ｄｏｗｎ、ｃｈｅｃｋ ｂｏａｒｄ等)サービス。既存媒体、放送装備及び端末を使用して送/受信が可能なサービスであるが、既存の２Ｄ端末が受信して再生する場合には一画面に左右映像が半ずつ見えるようになって既存の２Ｄ放送と同じ形状の２Ｄビデオを見ることができない。
【００２７】
Ｓｅｒｖｉｃｅ−ｃｏｍｐａｔｉｂｌｅサービスは、ステレオスコピックビデオサービスを提供するにあたり、既存の２Ｄ端末が既存の２Ｄ放送と同じ形状の２Ｄビデオを視聴すりことができるように提供する。この例として、既存２Ｄ媒体又は２Ｄ放送と互換性を維持しながら基準映像及び付加映像が別途のストリームに区分されて提供されるサービスがある(Ｅｘａｍｐｌｅ：基準映像ＭＰＥＧ−２ ｖｉｄｅｏで符号化して送信、付加映像−ＡＶＣなどで符号化して送信)。
【００２８】
ｉｓ_ｍｉｘｅｄ_ｓｅｒｖｉｃｅは、同一のプログラム内に２Ｄサービスと３Ｄサービスが混在しているかを示すフィールドであり、‘１’である場合、２Ｄサービスと３Ｄサービスが混在することを意味し、‘０’である場合、２Ｄサービスと３Ｄサービスが混在しないことを意味する。ステレオスコピック映像サービスは、サービスされる時間中、ステレオスコピック映像のみを提供するサービスであるステレオスコピック専用サービス(例：映画館ではステレオスコピック映像ベースの映画上映)と、ステレオスコピック映像と２Ｄ映像を混用して提供するステレオスコピック/２Ｄ映像混用サービスと、に区分されることができる。
【００２９】
２Ｄ_ｖｉｅｗ_ｆｌａｇは、３ＤＴＶ受信機で３Ｄプログラムを受信して２Ｄディスプレーモードに視聴時、適した映像を識別するためのフィールドでであり、‘１’である場合、基準映像をディスプレーし、‘０’である場合、付加映像をディスプレーすることができる。
【００３０】
ｃｏｄｅｄ_ｓｔｒｅａｍ_ｔｙｐｅは、付加映像に対する符号化方法を示すフィールドであり、ＩＳＯ/ＩＥＣ１３８１８−１ ＭＰＥＧ−２ Ｓｙｓｔｅｍｓ：２００７のＴａｂｌｅ２−２９に開示されているｓｔｒｅａｍ_ｔｙｐｅ値を有することができる。
【００３１】
ｂａｓｅ_ｖｉｄｅｏ_ｆｌａｇは、該当ＥＳが基準映像ストリームかどうかを示す。‘１’である場合、該当ストリームは基準映像であることを意味し、‘０’である場合、該当ストリームは付加映像であることを意味する。
【００３２】
ｖｉｅｗ_ｆｌａｇは、該当ＥＳが左映像ストリームか右映像ストリームかを区分するフィールドであり、‘１’である場合、該当ＥＳが左映像であることを意味し、‘０’である場合、該当ストリームが右映像であることを意味する。
【００３３】
ｕｐｓａｍｐｌｉｎｇ_ｆａｃｔｏｒは、付加映像に対するｕｐｓａｍｐｌｉｎｇのための情報を示すフィールドであり、以下の表３のように定義されることができる。
【００３４】
【表３】
2013545361.tif 000005
【００３５】
ｈｏｒｉｚｏｎｔａｌ_ｓｕｂｓａｍｐｌｉｎｇ_ｔｙｐｅは、付加映像の解像度を水平方向に１/２大きさでサブサンプリングする時、以下の表４のようにサブサンプリングされるラインを示すことができる。ｓｔｅｒｅｏｓｃｏｐｉｃ_ｃｏｍｐｏｓｉｔｉｏｎ_ｔｙｐｅフィールドの値が‘０１０’又は‘１００’である場合に意味があり、その他の場合には‘００’に設定されることができる。
【００３６】
【表４】
2013545361.tif 000006
【００３７】
ｖｅｒｔｉｃａｌ_ｓｕｂｓａｍｐｌｉｎｇ_ｔｙｐｅは、付加映像の解像度を垂直方向に１/２大きさでサブサンプリングする時、以下の表５のようにサブサンプリングされるラインを示すことができる。ｓｔｅｒｅｏｓｃｏｐｉｃ_ｃｏｍｐｏｓｉｔｉｏｎ_ｔｙｐｅフィールドの値が‘０１１’又は‘１００’である場合に意味があり、その他の場合には‘００’に設定する。
【００３８】
【表５】
2013545361.tif 000007
【００３９】
ｌｉｎｋｅｄ_ｅｌｅｍｅｎａｔｒｙ_ｓｔｒｅａｍ_ＰＩＤは、付加映像ストリームに相応する基準映像ストリームのＰＩＤ又は基準映像ストリームに相応する付加映像ストリームのＰＩＤを示すことができる。
【００４０】
本発明の実施例によると、前述した構文要素情報を利用してｐｒｏｇｒａｍ ｌｅｖｅｌ ｄｅｓｃｒｉｐｔｏｒとＥＳ ｌｅｖｅｌ ｄｅｓｃｒｉｐｔｏｒを以下の表７及び表８のように各々構成してシグナリングすることができる。
【００４１】
以下の表７は、ｐｒｏｇｒａｍ ｌｅｖｅｌ ｄｅｓｃｒｉｐｔｏｒを示す表である。
【００４２】
【表７】
2013545361.tif 000008
【００４３】
表７を参照すると、前述したＳｔｅｒｅｏ_ｍｏｎｏ_ｓｅｒｖｉｃｅ_ｔｙｐｅが１０である場合又は１１である場合、即ち、フレームタイプがＦｒａｍｅ−ｃｏｍｐａｔｉｂｌｅ ３Ｄ ｓｅｒｖｉｃｅ、又はＳｅｒｖｉｃｅ−ｃｏｍｐａｔｉｂｌｅ ３Ｄ ｓｅｒｖｉｃｅであるため、３Ｄサービスを提供するフレームである場合、２Ｄ_ｖｉｅｗ_ｆｌａｇを介して受信された３Ｄ映像を２Ｄサービスでディスプレー時、基準映像をディスプレーするか付加映像をディスプレーするかを決めることができる。
【００４４】
以下の表８は、ＥＳ ｌｅｖｅｌ ｄｅｓｃｒｉｐｔｏｒを示す表である。表８のＥＳ ｌｅｖｅｌ ｄｅｓｃｒｉｐｔｏｒは、基準映像及び付加映像の両方ともに適用したり、付加映像にのみ適用することができる。
【００４５】
【表８】
2013545361.tif 000009
【００４６】
表８を参照すると、ｃｏｄｅｄ−ｓｔｒｅａｍ−ｔｙｐｅを利用して付加映像に対する符号化/復号化方法を示すことができ、ｂａｓｅ_ｖｉｄｅｏ_ｆｌａｇを介して該当ＥＳが基準映像ストリームか付加映像ストリームかを示し、ｖｉｅｗ_ｆｌａｇは、ＥＳが左映像ストリームか右映像ストリームかを示す。
【００４７】
ｕｐｓａｍｐｌｉｎｇ_ｆａｃｔｏｒは、前述したように、付加映像に対するアップサンプリングのための情報を示すフィールドであり、ｈｏｒｉｚｏｎｔａｌ_ｓｕｂｓａｍｐｌｉｎｇ_ｔｙｐｅは、付加映像の解像度を水平方向に１/２サブサンプリング時、サンプリングラインを示し、ｖｅｒｔｉｃａｌ_ｓｕｂｓａｍｐｌｉｎｇ_ｔｙｐｅは、付加映像の解像度を垂直方向に１/２サブサンプリング時。サンプリングラインを示す。
【００４８】
即ち、表８のようにＥＳ ｌｅｖｅｌ ｄｅｓｃｒｉｐｔｏｒを使用してストリームを区分して付加映像のサンプリングのサンプリング方法に対する情報を符号化/復号化することができる。
【００４９】
図１は、本発明の実施例に係るプログラムレベルディスクリプタを符号化/復号化する方法を示すフローチャートである。
【００５０】
以下、本発明のフローチャートで実行されるステップの順序は任意であり、本発明の本質から外れない限りステップ間の順序は変わることができる。
【００５１】
図１を参照すると、放送サービスタイプを判断する(ステップＳ１００)。
【００５２】
構文要素であるＳｔｅｒｅｏ_ｍｏｎｏ_ｓｅｒｖｉｃｅ_ｔｙｐｅを判断して放送サービスタイプが２Ｄサービスか、Ｆｒａｍｅ−ｃｏｍｐａｔｉｂｌｅ ３Ｄ ｓｅｒｖｉｃｅ、Ｓｅｒｖｉｃｅ−ｃｏｍｐａｔｉｂｌｅ ３Ｄ ｓｅｒｖｉｃｅかを判断する。
【００５３】
ディスプレーモードに基づくフィールド値を判断する(ステップＳ１１０)。
【００５４】
受信された３Ｄ放送サービスコンテンツに基づいて２Ｄモードのディスプレーを実行する場合、基準映像をディスプレーするか付加映像をディスプレーするかを決定するフィールド値を判断して該当映像を出力することができる。
【００５５】
図２は、本発明の実施例に係るＥＳレベルディスクリプタを符号化/復号化する方法を示すフローチャートである。
【００５６】
図２を参照すると、符号化されたストリームタイプを判断する(ステップＳ２００)。
【００５７】
付加映像が符号化された方法を判断する。付加映像の符号化方法は、ＩＳＯ/ＩＥＣ１３８１８−１ ＭＰＥＧ−２ Ｓｙｓｔｅｍｓ：２００７に開示された符号化方法を使用することができる。
【００５８】
エレメンタリストリームが基準映像ストリームかどうかを判断する(ステップＳ２１０)。
【００５９】
エレメンタリストリームが基準映像ストリームか付加映像ストリームかを示す。
【００６０】
エレメンタリストリームが左映像ストリームか右映像ストリームかを判断する(ステップＳ２２０)。
【００６１】
ステレオスコピック映像の場合、左映像と右映像ストリームが存在することができ、このような映像情報を判断することができる。
【００６２】
付加映像のアップサンプリング情報を判断する(ステップＳ２３０)。
【００６３】
ダウンサンプリングされて送信された付加映像情報に基づいてアップサンプリングを実行するためにどのようなアップサンプリング方法を使用するかに対する情報を判断することができる。
【００６４】
サブサンプリングされたラインの情報を判断する(ステップＳ２４０)。
【００６５】
付加映像に対するサブサンプリングは、水平又は垂直方向にサブサンプリングされることができ、サブサンプリングされる場合、偶数又は奇数ラインがサブサンプリングされたかどうかを判断することができる。
【００６６】
本発明の他の実施例によると、前述した構文要素情報を利用してｐｒｏｇｒａｍ ｌｅｖｅｌ ｄｅｓｃｒｉｐｔｏｒとＥＳ ｌｅｖｅｌ ｄｅｓｃｒｉｐｔｏｒを以下の表９及び表１０のように各々構成してシグナリングすることができる。
【００６７】
以下の表９は、２Ｄサービスと３Ｄサービスが混在した場合のｐｒｏｇｒａｍ_ｌｅｖｅｌ_ｄｅｓｃｒｉｐｔｏｒを示す表である。
【００６８】
【表９】
2013545361.tif 000010
【００６９】
表９を参照すると、図７と違って、構文要素ｉｓ_ｍｉｘｅｄ_ｓｅｒｖｉｃｅを追加することで、同一なプログラム内に２Ｄサービスと３Ｄサービスが混在されているかどうかを追加的に知らせることができる。
【００７０】
【表１０】
2013545361.tif 000011
【００７１】
表１０は、表８と同じであり、前記のようなＥＳ ｌｅｖｅｌ ｄｅｓｃｒｉｐｔｏｒを基準映像及び付加映像の両方ともに適用し、又は付加映像にのみ適用して使用することができる。
【００７２】
図３は、本発明の実施例に係るプログラムレベルディスクリプタを符号化/復号化する方法を示すフローチャートである。
【００７３】
図３を参照すると、放送サービスタイプを判断する(ステップＳ３００)。
【００７４】
構文要素であるＳｔｅｒｅｏ_ｍｏｎｏ_ｓｅｒｖｉｃｅ_ｔｙｐｅを判断し、放送サービスタイプが２Ｄサービスか、Ｆｒａｍｅ−ｃｏｍｐａｔｉｂｌｅ ３Ｄ ｓｅｒｖｉｃｅ、Ｓｅｒｖｉｃｅ−ｃｏｍｐａｔｉｂｌｅ ３Ｄ ｓｅｒｖｉｃｅかを判断する。
【００７５】
２Ｄ放送サービスと３Ｄ放送サービスが混在されているかどうかを判断する(ステップＳ３１０)。
【００７６】
放送サービスの提供時、２Ｄ放送コンテンツと３Ｄ放送コンテンツが混在されて符号化されたり、３Ｄ放送コンテンツのみで符号化されたりすることができ、放送コンテンツが混在された方式に対する情報を判断することができる。
【００７７】
ディスプレーモードに基づくフィールド値を判断する(ステップＳ３２０)。
【００７８】
受信された３Ｄ放送サービスコンテンツに基づいて２Ｄモードのディスプレーを実行する場合、基準映像をディスプレーするか付加映像をディスプレーするかを決定するフィールド値を判断して該当映像を出力することができる。
【００７９】
本発明の他の実施例によると、前述した構文要素情報を利用してｐｒｏｇｒａｍ ｌｅｖｅｌ ｄｅｓｃｒｉｐｔｏｒとＥＳ ｌｅｖｅｌ ｄｅｓｃｒｉｐｔｏｒを以下の表１１及び表１２のように各々構成してシグナリングすることができる。
【００８０】
表１１及び表１２ではＳｅｒｖｉｃｅ_ｃｏｍｐａｔｉｂｌｅの場合、基準映像と付加映像に対して互いに対応される映像ストリームのＥｌｅｍｅｎｔａｒｙ_ＰＩＤを明示するためのものであり、表１２のＥＳ ｌｅｖｅｌ ｄｅｓｃｒｉｐｔｏｒにｌｉｎｋｅｄ_ｅｌｅｍｅｎｔａｒｙ_ＰＩＤをさらに含むことができる。
【００８１】
表１１は、Ｐｒｏｇｒａｍ_ｌｅｖｅｌ_ｄｅｓｃｒｉｐｔｏｒを示す。
【００８２】
【表１１】
2013545361.tif 000012
【００８３】
【表１２】
2013545361.tif 000013
【００８４】
表１２を参照すると、ｌｉｎｋｅｄ_ｅｌｅｍｅｎｔａｒｙ_ｓｔｒｅａｍ_ＰＩＤを含み、付加映像ストリームに相応する基準映像ストリームのＰＩＤ又は基準映像ストリームに相応する付加映像ストリームのＰＩＤを示す。
【００８５】
即ち、Ｓｅｒｖｉｃｅ Ｃｏｍｐａｔｉｂｌｅの場合、３Ｄサービスが基準映像ストリームと付加映像ストリームを含んで行われることができるため、ＰＩＤ値をリンクさせて符号化/復号化を実行することができる。
【００８６】
図４は、本発明の実施例に係るＥＳレベルディスクリプタを符号化/復号化する方法を示すフローチャートである。
【００８７】
図４を参照すると、符号化されたストリームタイプを判断する(ステップＳ４００)。
【００８８】
付加映像が符号化された方法を判断する。付加映像の符号化方法は、ＩＳＯ/ＩＥＣ１３８１８−１ ＭＰＥＧ−２ Ｓｙｓｔｅｍｓ：２００７に開示された符号化方法を使用することができる。
【００８９】
エレメンタリストリームが基準映像ストリームかどうかを判断する(ステップＳ４１０)。
【００９０】
エレメンタリストリームが基準映像ストリームか付加映像ストリームかを示す。
【００９１】
エレメンタリストリームが左映像ストリームか右映像ストリームかを判断する(ステップＳ４２０)。
【００９２】
ステレオスコピック映像の場合、左映像と右映像ストリームが存在することができ、このような映像情報を判断することができる。
【００９３】
付加映像のアップサンプリング情報を判断する(ステップＳ４３０)。
【００９４】
ダウンサンプリングされて送信された付加映像情報に基づいてアップサンプリングを実行するために、どのようなアップサンプリング方法を使用するかに対する情報を判断することができる。
【００９５】
サブサンプリングされたラインの情報を判断する(ステップＳ４４０)。
【００９６】
付加映像に対するサブサンプリングは、水平又は垂直方向にサブサンプリングされることができ、サブサンプリングされる場合、偶数又は奇数ラインがサブサンプリングされたかどうかを判断することができる。
【００９７】
ＰＩＤ情報に基づいて基準映像ストリームと付加映像ストリームを連関させる(ステップＳ４５０)。
【００９８】
復号化された基準映像ストリームと付加映像ストリームとの間に動機化を実行するためにＰＩＤ情報を連関させる。
【００９９】
本発明の他の実施例によると、前述した構文要素情報を利用してＥＳ ｌｅｖｅｌ ｄｅｓｃｒｉｐｔｏｒを以下の表１３及び表１４のように各々構成してシグナリングすることができる。
【０１００】
Ｐｒｏｇｒａｍ ｌｅｖｅｌ ｄｅｓｃｒｉｐｔｏｒの場合は、表７及び表９のように２Ｄサービスと３Ｄサービスが混在するかどうかを示す構文要素であるｉｓ_ｍｉｘｅｄ_ｓｅｒｖｉｃｅを含むかどうかを選択的に適用して使用することができる。
【０１０１】
ＥＳ ｌｅｖｅｌ ｄｅｓｃｒｉｐｔｏｒの場合、ディスクリプタであり、以下の表１３のようにＳｔｅｒｅｏｓｃｏｐｉｃ_ｂａｓｅ_ｖｉｄｅｏ_ｉｎｆｏｒｍａｔｉｏｎ_ｄｅｓｃｒｉｐｔｏｒ()又は以下の表１４のようにＳｔｅｒｅｏ_ｓｕｐｐｌｉｍｅｎｔａｒｙ_ｖｉｄｅｏ_ｉｎｆｏｒｍａｔｉｏｎ_ｄｅｓｃｒｉｐｔｏｒ()に区分し、一つは基準映像に使用し、一つは付加映像に使用することができる。
【０１０２】
【表１３】
2013545361.tif 000014
【０１０３】
【表１４】
2013545361.tif 000015
【０１０４】
表１３ではベース映像に使われる構文要素情報であるｂａｓｅ_ｖｉｄｅｏ_ｆｌａｇが含まれており、表１４では付加映像に使われる構文要素情報であるｕｐｓａｍｐｌｉｎｇ_ｆａｃｔｏｒ、ｈｏｒｉｚｏｎｔａｌ_ｓｕｂｓａｍｐｌｉｎｇ_ｔｙｐｅ及びｖｅｒｔｉｃａｌ_ｓｕｂｓａｍｐｌｉｎｇ_ｔｙｐｅが含まれてベース映像に使われる構文要素と付加映像に使われる構文要素を分離することができる。
【０１０５】
図５は、本発明の実施例に係るエレメンタリストリームレベルディスクリプタを示すフローチャートである。
【０１０６】
図５を参照すると、基準映像ディスクリプタと付加映像ディスクリプタを区分する(ステップＳ５００)。
【０１０７】
エレメンタリストリームレベルディスクリプタは、基準映像ディスクリプタと付加映像ディスクリプタに区分されることができ、各々で必要な構文要素情報を復号化することができる。
【０１０８】
左映像情報か右映像情報かを判断する(ステップＳ５１０)。
【０１０９】
基準映像ディスクリプタの場合、該当ビットストリームが右映像に該当する情報か左映像に該当する情報かを判断する。
【０１１０】
付加映像ディスクリプタの場合、ステップＳ５２０以下ステップの手順が実行されることができる。
【０１１１】
符号化されたストリームのタイプを判断した後、付加映像のアップサンプリング情報を判断する(ステップＳ５２０)。
【０１１２】
符号化されたストリームタイプを判断した後、ダウンサンプリングされて送信された付加映像情報に基づいてアップサンプリングを実行するために、どのようなアップサンプリング方法を使用するかに対する情報を判断することができる。
【０１１３】
サブサンプリングされたラインの情報を判断する(ステップＳ５３０)。
【０１１４】
付加映像に対するサブサンプリングは、水平又は垂直方向にサブサンプリングされることができ、サブサンプリングされる場合、偶数又は奇数ラインがサブサンプリングされたかどうかを判断することができる。
【０１１５】
該当ＥＳが左映像ストリームか右映像ストリームかを区分するフィールドであり、‘１’である場合、該当ＥＳが左映像を示し、‘０’である場合、該当ストリームが右映像を示す。
【０１１６】
本発明の他の実施例によると、前述した構文要素情報を利用してＥＳ ｌｅｖｅｌ ｄｅｓｃｒｉｐｔｏｒを以下の表１５及び表１６のように各々構成してシグナリングすることができる。
【０１１７】
ＥＳ ｌｅｖｅｌ ｄｅｓｃｒｉｐｔｏｒの場合、ディスクリプタであり、以下の表１５のようにＳｔｅｒｅｏｓｃｏｐｉｃ_ｂａｓｅ_ｖｉｄｅｏ_ｉｎｆｏｒｍａｔｉｏｎ_ｄｅｓｃｒｉｐｔｏｒ()又は以下の表１６のようにＳｔｅｒｅｏ_ｓｕｐｐｌｉｍｅｎｔａｒｙ_ｖｉｄｅｏ_ｉｎｆｏｒｍａｔｉｏｎ_ｄｅｓｃｒｉｐｔｏｒ()に区分し、一つは基準映像に使用し、一つは付加映像に使用することができる。
【０１１８】
【表１５】
2013545361.tif 000016
【０１１９】
【表１６】
2013545361.tif 000017
【０１２０】
図６は、本発明の実施例に係るエレメンタリストリームレベルディスクリプタを示すフローチャートである。
【０１２１】
図６を参照すると、基準映像ディスクリプタと付加映像ディスクリプタを区分してディスクリプタを符号化/復号化することができる。ストリームレベルディスクリプタは、基準映像ディスクリプタと付加映像ディスクリプタに区分されて復号化されることができ、各々で必要な構文要素情報を復号化することができる。
【０１２２】
現在エレメンタリストリームが基準映像ストリームか付加ストリームかを判断する(ステップＳ６００)。
【０１２３】
基準映像ディスクリプタは、基準映像ストリームである場合に適用されることができる。
【０１２４】
基準映像ストリームが左映像情報か右映像情報かを判断する(ステップＳ６１０)。基準映像ストリームの場合、基準映像ディスクリプタを使用し、基準映像ストリームが右映像に該当する情報か左映像に該当する情報かを判断する。
【０１２５】
付加映像ディスクリプタでは符号化されたストリームタイプを判断し、現在エレメンタリストリームが基準映像ストリームか付加ストリームかを判断する(ステップＳ６１５)。
【０１２６】
付加映像ストリームが左映像か右映像かを判断する(ステップＳ６２０)。
【０１２７】
付加映像ストリーム情報に基づいて付加映像が左映像か右映像かを判断する。
【０１２８】
付加映像のアップサンプリング情報を判断する(ステップＳ６３０)。
【０１２９】
ダウンサンプリングされて送信された付加映像情報に基づいてアップサンプリングを実行するために、どのようなアップサンプリング方法を使用するかに対する情報を判断することができる。
【０１３０】
サブサンプリングされたラインの情報を判断する(ステップＳ６４０)。
【０１３１】
付加映像に対するサブサンプリングは、水平又は垂直方向にサブサンプリングされることができ、サブサンプリングされる場合、偶数又は奇数ラインがサブサンプリングされたかどうかを判断することができる。
【０１３２】
該当ＥＳが左映像ストリームか右映像ストリームかを区分するフィールドであり、‘１’である場合、該当ＥＳが左映像を示し、‘０’である場合、該当ストリームが右映像を示す。
【０１３３】
本発明の他の実施例によると、前述した構文要素情報を利用してＥＳ ｌｅｖｅｌ ｄｅｓｃｒｉｐｔｏｒを以下の表１７及び表１８のように各々構成してシグナリングすることができる。
【０１３４】
ＥＳ ｌｅｖｅｌ ｄｅｓｃｒｉｐｔｏｒの場合、ディスクリプタであり、以下の表１７のようにＳｔｅｒｅｏｓｃｏｐｉｃ_ｂａｓｅ_ｖｉｄｅｏ_ｉｎｆｏｒｍａｔｉｏｎ_ｄｅｓｃｒｉｐｔｏｒ()又は以下の表１８のようにＳｔｅｒｅｏ_ｓｕｐｐｌｉｍｅｎｔａｒｙ_ｖｉｄｅｏ_ｉｎｆｏｒｍａｔｉｏｎ_ｄｅｓｃｒｉｐｔｏｒ()に区分し、一つは基準映像に使用し、一つは付加映像に使用することができる。
【０１３５】
【表１７】
2013545361.tif 000018
【０１３６】
【表１８】
2013545361.tif 000019
【０１３７】
表１７及び表１８は、図６と違って、基準映像ディスクリプタに基準映像かどうかを判断するステップが実行されなくてもよく、付加映像ディスクリプタでは付加映像ストリームが左映像か右映像かを判断するステップが実行されなくてもよい。
【０１３８】
本発明の他の実施例によると、前述した構文要素情報を利用してＥＳ ｌｅｖｅｌ ｄｅｓｃｒｉｐｔｏｒを以下の表１９及び表２０のように各々構成してシグナリングすることができる。
【０１３９】
ＥＳ ｌｅｖｅｌ ｄｅｓｃｒｉｐｔｏｒの場合、ディスクリプタであり、以下の表１９のようにＳｔｅｒｅｏｓｃｏｐｉｃ_ｂａｓｅ_ｖｉｄｅｏ_ｉｎｆｏｒｍａｔｉｏｎ_ｄｅｓｃｒｉｐｔｏｒ()又は以下の表２０ようにＳｔｅｒｅｏ_ｓｕｐｐｌｉｍｅｎｔａｒｙ_ｖｉｄｅｏ_ｉｎｆｏｒｍａｔｉｏｎ_ｄｅｓｃｒｉｐｔｏｒ()に区分し、一つは基準映像に使用し、一つは付加映像に使用することができる。
【０１４０】
【表１９】
2013545361.tif 000020
【０１４１】
【表２０】
2013545361.tif 000021
【０１４２】
表１９及び表２０を参照すると、表１７及び表１８と比較して基準映像ディスクリプタにはｖｉｅｗ_ｆｌａｇの代りにｂａｓｅｄ_ｖｉｄｅｏ_ｆｌａｇを使用することができ、付加映像ディスクリプタではｂａｓｅｄ_ｖｉｄｅｏ_ｆｌａｇの代わりにｖｉｅｗ_ｆｌａｇを使用することができる。
【０１４３】
他の実施例として、前記表１３及び表１４、表１５及び表１６、表１７及び表１８、表１９及び表２０において、Ｓｅｒｖｉｃｅ_ｃｏｍｐａｔｉｂｌｅの場合、基準映像と付加映像に対して互いに対応される映像ストリームのＥｌｅｍｅｎｔａｒｙ_ＰＩＤを明示するために、Ｓｔｅｒｅｏｓｃｏｐｉｃ_ｓｕｐｐｌｉｍｅｎｔａｒｙ_ｖｉｄｅｏ_ｉｎｆｏｒｍａｔｉｏｎ_ｄｅｓｃｒｉｐｔｏｒ()にｌｉｎｋｅｄ_ｅｌｅｍｅｎｔａｒｙ_ｓｔｒｅａｍ_ＰＩＤをさらに含むことができ、Ｓｔｅｒｅｏｓｃｏｐｉｃ_ｂａｓｅ_ｖｉｄｅｏ_ｉｎｆｏｒｍａｔｉｏｎ_ｄｅｓｃｒｉｐｔｏｒ()にもｌｉｎｋｅｄ_ｅｌｅｍｅｎｔａｒｙ_ｓｔｒｅａｍ_ＰＩＤをさらに含むことができる。
【０１４４】
また、前記表１３及び表１４、表１５及び表１６、表１７及び表１８、表１９及び表２０において、Ｓｅｒｖｉｃｅ_ｃｏｍｐａｔｉｂｌｅの場合、Ｓｔｅｒｅｏｓｃｏｐｉｃ_ｓｕｐｐｌｉｍｅｎｔａｒｙ_ｖｉｄｅｏ_ｉｎｆｏｒｍａｔｉｏｎ_ｄｅｓｃｒｉｐｔｏｒ()に前記表７、表９及び表１１に明示されたＳｔｅｒｅｏｓｃｏｐｉｃ_ｐｒｏｇｒａｍ_ｉｎｆｏｒｍａｔｉｏｎ_ｄｅｓｃｒｉｐｔｏｒ()内の２Ｄ_ｖｉｅｗ_ｆｌａｇが含まれることができ、このような場合、Ｓｔｅｒｅｏｓｃｏｐｉｃ_ｐｒｏｇｒａｍ_ｉｎｆｏｒｍａｔｉｏｎ_ｄｅｓｃｒｉｐｔｏｒ()内の２Ｄ_ｖｉｅｗ_ｆｌａｇは抜けることができる。
【０１４５】
他の実施例として、ＥＳ ｌｅｖｅｌ ｄｅｓｃｒｉｐｔｏｒでｃｏｄｅｄ_ｓｔｒｅａｍ_ｔｙｐｅは、ｄｅｓｃｒｉｐｔｏｒ外部で定義するｓｔｒｅａｍ_ｔｙｐｅとの関係を考慮して使われなくてもよいし、ｃｏｄｅｄ_ｓｔｒｅａｍ_ｔｙｐｅが使われない場合には前記実施例で定義されたＥＳ ｌｅｖｅｌ ｄｅｓｃｒｉｐｔｏｒからｃｏｄｅｄ_ｓｔｒｅａｍ_ｔｙｐｅは除外する。これは前記実施例のうちｃｏｄｅｄ_ｓｔｒｅａｍ_ｔｙｐｅを含む全ての場合に適用されることができる。
【０１４６】
ステレオスコピックビデオサービスが二つのチャネルを介して提供される場合のための追加的なシグナリングを実行することができる。
【０１４７】
ステレオスコピックビデオサービスのために提供される二つのビデオストリーム、即ち、基準映像ストリームと付加映像ストリームは、各々が別途のチャネルを介して送信されることができ、この場合には二つのチャネル及び映像ストリームの関係を示すための以下のような情報が必要である。この情報は、必要によって選択的に使われることができる。
【０１４８】
ｌｉｎｋｅｄ_ｔｒａｎｓｐｏｒｔ_ｓｔｒｅａｍ_ｐｒｅｓｅｎｔ_ｆｌａｇは、ステレオスコピックビデオストリームを構成する二つのＥＳのうち一つのＥＳは、別途のチャネルに送信されるかどうかを示すフィールドであり、‘１’である場合、別途のチャネルが使われることを示し、‘０’である場合、別途のチャネルが使われないことを示す。即ち、現チャネルに二つのＥＳの両方ともが送信されていることを示すことができる。付加チャネルの場合、応用によって基準映像が別途のチャネルに送信されているとしても‘０’に設定することができる。
【０１４９】
ｒｅｆｅｒｅｎｃｅ_ｖｉｅｗ_ｐｒｅｓｅｎｔ_ｆｌａｇは、現在のチャネルに基準映像ストリームが含まれているかを区別するフィールドであり、‘１’である場合、現在チャネルに基準映像ストリームが含まれていることを示し、‘０’である場合、基準映像ストリームが含まれていないことを示す。
【０１５０】
ｔｒａｎｓｐｏｒｔ_ｓｔｒｅａｍ_ｉｄは、別途のチャネルに送信されるＥＳを含んでいるＴＳのＩＤを示す。ｐｒｏｇｒａｍ_ｎｕｍｂｅｒは、別途のチャネルに送信されるＥＳが含まれているｐｒｏｇｒａｍを規定するフィールドを示す。
【０１５１】
この情報は、ＰＭＴに含まれてシグナリングされたり、ＮＩＴを介してシグナリングされたりすることができ、サービス規格、例えば、ＡＴＳＣ規格(ＶＣＴ又はＥＩＴ)を介して提供されることもできる。
【０１５２】
前記情報が全部ＰＭＴに含まれる場合は、以下の表２１の通りである。
【０１５３】
【表２１】
2013545361.tif 000022
【０１５４】
表２１は、本発明の実施例に係るｐｒｏｇｒａｍ ｌｅｖｅｌ ｄｅｓｃｒｉｐｔｏｒの一例であり、構文要素ｌｉｎｋｅｄ_ｔｒａｎｓｐｏｒｔ_ｓｔｒｅａｍ_ｐｒｅｓｅｎｔ_ｆｌａｇ、ｒｅｆｅｒｅｎｃｅ_ｖｉｅｗ_ｐｒｅｓｅｎｔ_ｆｌａｇ、ｔｒａｎｓｐｏｒｔ_ｓｔｒｅａｍ_ｉｄ、ｐｒｏｇｒａｍ_ｎｕｍｂｅｒは、選択的に使われることができ、前述した表で定義されたｐｒｏｇｒａｍ ｌｅｖｅｌ ｄｅｓｃｒｉｐｔｏｒの定義と共に使われることができる。
【０１５５】
本発明の実施例に係るディスクリプタ復号化方法ではステレオスコピックビデオサービスが二つのチャネルを介して提供される場合のための追加的なシグナリングを実行することができる。ステレオスコピックビデオサービスのために提供される二つのビデオストリーム、即ち、基準映像ストリームと付加映像ストリームは、各々が別途のチャネルを介して送信されることができ、この場合には二つのチャネル及び映像ストリームの関係を示すための以下のような追加的な情報が使われることができる。以下の情報は、必要によって選択的に使われることができる。
【０１５６】
ｌｉｎｋｅｄ_ｔｒａｎｓｐｏｒｔ_ｓｔｒｅａｍ_ｐｒｅｓｅｎｔ_ｆｌａｇは、ステレオスコピックビデオストリームを構成する二つのエレメンタリストリーム(ＥＳ)のうち一つのＥＳは、別途のチャネルに送信されるかどうかを示すフィールドであり、‘１’である場合、別途のチャネルが使われることを示し、‘０’である場合、別途のチャネルが使われないことを示す。即ち、現チャネルに二つのＥＳが全部送信されていることを示すことができる。付加チャネルの場合、応用によって基準映像が別途のチャネルに送信されているとしても‘０’に設定することができる。
【０１５７】
ｒｅｆｅｒｅｎｃｅ_ｖｉｅｗ_ｐｒｅｓｅｎｔ_ｆｌａｇは、現在のチャネルに基準映像ストリームが含まれているかを区別するフィールドであり、‘１’である場合、現在チャネルに基準映像ストリームが含まれていることを示し、‘０’である場合、基準映像ストリームが含まれていないことを示す。
【０１５８】
ｔｒａｎｓｐｏｒｔ_ｓｔｒｅａｍ_ｉｄは、別途のチャネルに送信されるＥＳを含んでいるＴＳのＩＤを示す。
【０１５９】
ｐｒｏｇｒａｍ_ｎｕｍｂｅｒは、別途のチャネルに送信されるＥＳが含まれているｐｒｏｇｒａｍを規定するフィールドを示す。
【０１６０】
前記情報は、ＰＭＴに含まれてシグナリングされたり、ＮＩＴを介してシグナリングされたりすることができ、サービス規格、例えば、ＡＴＳＣ規格(ＶＣＴ又はＥＩＴ)を介して提供されることもできる。
【０１６１】
前記情報が全部ＰＭＴに含まれる場合の実施例は、以下の表２２の通りである。
【０１６２】
【表２２】
2013545361.tif 000023
【０１６３】
本実施例におけるｄｅｓｃｒｉｐｔｏｒは、ｐｒｏｇｒａｍ ｌｅｖｅｌ ｄｅｓｃｒｉｐｔｏｒの一例であり、ｌｉｎｋｅｄ_ｔｒａｎｓｐｏｒｔ_ｓｔｒｅａｍ_ｐｒｅｓｅｎｔ_ｆｌａｇ、ｒｅｆｅｒｅｎｃｅ_ｖｉｅｗ_ｐｒｅｓｅｎｔ_ｆｌａｇ、ｔｒａｎｓｐｏｒｔ_ｓｔｒｅａｍ_ｉｄ、ｐｒｏｇｒａｍ_ｎｕｍｂｅｒは、選択的に使われることができ、前記実施例１〜３で定義されたｐｒｏｇｒａｍ ｌｅｖｅｌ ｄｅｓｃｒｉｐｔｏｒの定義と共に使われることができる。
【０１６４】
図７は、本発明の他の実施例に係るディスクリプタを追加してステレオスコピック映像を符号化する装置を示すブロック図である。
【０１６５】
以下、ステレオスコピック符号化/復号化装置は、左映像と右映像が二つのフレームとして別に符号化される場合のみを示すが、ステレオスコピック符号化/復号化装置は、左映像と右映像が一つのフレームで構成されることができ、このような場合も本発明の権利範囲に含まれる。
【０１６６】
図７を参照すると、ステレオスコピック符号化装置は、左映像ビデオ符号化器７００、右映像ビデオ符号化器７０５、オーディオ符号化器７１０、ＰＥＳ(Ｐａｃｋｅｔｉｚｅｄ ｅｌｅｍｅｎｔａｒｙ ｓｔｒｅａｍ)パケット化器７１５、多重化器７２０、セクション発生器７２５を含むことができる。
【０１６７】
左映像ビデオ符号化器７００は、左側映像を符号化し、算出された左映像ＥＳをＰＥＳパケット化器７１５に送信することができる。
【０１６８】
右映像ビデオ符号化器７０５は、右側映像を符号化し、算出された右映像ＥＳをＰＥＳパケット化器７１５に送信することができる。
【０１６９】
オーディオ符号化器７１０は、オーディオを符号化し、算出されたオーディオＥＳをＰＥＳパケット化器７１５に送信することができる。
【０１７０】
ＰＥＳパケット化器７１５は、左映像ＥＳ、右映像ＥＳ、オーディオＥＳをＰＥＳパケット化して多重化器７２０に送信することができる。
【０１７１】
セクション発生器７２５ではプログラム仕様情報、即ち、複数のプログラムのうちどのプログラムを選んでどのパケットを取ってどのように復号しなければならないかに対する情報であるＰＳＩセクションを多重化器に送信する。
【０１７２】
多重化器７２０では送信された左映像ビデオＰＥＳパケット、右映像ビデオＰＥＳパケット、オーディオＰＥＳパケットを多重化することができる。この時、前述した本発明の実施例に係るｐｒｏｇｒａｍ_ｌｅｖｅｌ_ｄｅｓｃｒｉｐｔｏｒとＥＳ ｌｅｖｅｌ ｄｅｓｃｒｉｐｔｏｒのようなディスクリプタを追加することで、前述した多様な構文要素情報に基づいて多重化してビットストリームを生成することができる。
【０１７３】
図８は、本発明の他の実施例に係るディスクリプタを追加してステレオスコピック映像を復号化する装置を示すブロック図である。
【０１７４】
逆多重化器８００では送信されたビットストリーム情報に基づいて逆多重化を実行することで、ＰＳＩセクション、左映像ビデオＰＥＳパケット、右映像ビデオＰＥＳパケット、オーディオＰＥＳパケットにそれぞれのＰＥＳパケットとセクション情報を算出することができる。逆多重化を実行する時、前述した本発明の実施例に係るｐｒｏｇｒａｍ_ｌｅｖｅｌ_ｄｅｓｃｒｉｐｔｏｒとＥＳ ｌｅｖｅｌ ｄｅｓｃｒｉｐｔｏｒのようなディスクリプタを追加することで、前述した多様な構文要素情報に基づいて逆多重化してビットストリームを生成することができる。
【０１７５】
ＰＥＳ逆パケット化器８１０は、逆多重化器８００で逆多重化された左映像ビデオＰＥＳパケット、右映像ビデオＰＥＳパケット、オーディオＰＥＳパケットを逆パケット化することで、左映像ビデオＥＳ、右映像ビデオＥＳ、オーディオＥＳを生成することができる。
【０１７６】
左側映像ビデオ復号化器８２０は、ＰＥＳ逆パケット化器８１０で算出された左映像ビデオＰＥＳパケットを復号化することで、左映像ビデオを出力することができる。
【０１７７】
右側映像ビデオ復号化器８３０は、ＰＥＳ逆パケット化器８１０で算出された右映像ビデオＰＥＳパケットを復号化することで、右映像ビデオを出力することができる。
【０１７８】
オーディオ復号化器８４０は、ＰＥＳ逆パケット化器８１０で算出されたオーディオＰＥＳパケットを復号化することで、オーディオを出力することができる。
【０１７９】
以上、実施例を参照して説明したが、該当技術分野において熟練された当業者は、特許請求の範囲に記載された本発明の思想及び領域から外れない範囲内で、本発明が多様に修正及び変更可能であること理解することができる。
【図１】
2013545361.tif 000024
【図２】
2013545361.tif 000025
【図３】
2013545361.tif 000026
【図４】
2013545361.tif 000027
【図５】
2013545361.tif 000028
【図６】
2013545361.tif 000029
【図７】
2013545361.tif 000030
【図８】
2013545361.tif 000031
【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
ビデオストリームとシグナリング情報を含む放送ストリームを受信するステップ；
前記シグナリング情報を復号するステップ；及び、
前記シグナリング情報によって前記ビデオストリームを復号するステップ；を含み、
前記シグナリング情報は、ステレオスコピックサービスのタイプを識別する第１の識別情報及び前記ステレオスコピックサービスのビデオコンポーネント復号後に必要なアップサンプリングファクタ情報を含む放送データ受信方法。
【請求項２】
前記シグナリング情報は、前記ステレオスコピックサービスに含まれるビデオストリームが基準映像ストリームか付加映像ストリームかを識別する第２の識別情報をさらに含む請求項１に記載の放送データ受信方法。
【請求項３】
前記シグナリング情報は、ＰＳＩのＰＭＴ又はＰＳＩＰのＶＣＴである請求項１に記載の放送データ受信方法。
【請求項４】
前記シグナリング情報が前記ＰＭＴである場合、前記第１の識別情報は、プログラムレベルディスクリプタに含まれ、前記フラッグ及び前記アップサンプリングファクタ情報は、エレメンタリストリームレベルディスクリプタに含まれる請求項１に記載の放送データ受信方法。
【請求項５】
前記アップサンプリング情報は、基準映像対比付加映像のコーディングされた解像度を示す請求項１に記載の放送データ受信方法。
【請求項６】
ビデオストリームとシグナリング情報を含む放送ストリームを受信する受信部；
前記シグナリング情報を復号するシグナリング復号部；及び、
前記シグナリング情報によって前記ビデオストリームを復号するストリーム復号部；を含み、
前記シグナリング情報は、ステレオスコピックサービスのタイプを識別する第１の識別情報及び前記ステレオスコピックサービスのビデオコンポーネント復号後に必要なアップサンプリングファクタ情報を含む放送データ受信装置。
【請求項７】
前記シグナリング情報は、前記ステレオスコピックサービスに含まれるビデオストリームが基準映像ストリームか付加映像ストリームかを識別する第２の識別情報をさらに含む請求項６に記載の放送データ受信装置。
【請求項８】
前記シグナリング情報は、ＰＳＩのＰＭＴ又はＰＳＩＰのＶＣＴである請求項６に記載の放送データ受信装置。
【請求項９】
前記シグナリング情報が前記ＰＭＴである場合、前記第１の識別情報はプログラムレベルディスクリプタに含まれ、前記フラッグ及び前記アップサンプリングファクタ情報は、エレメンタリストリームレベルディスクリプタに含まれる請求項６に記載の放送データ受信装置。
【請求項１０】
前記アップサンプリング情報は、基準映像対比付加映像のコーディングされた解像度を示す請求項６に記載の放送データ受信装置。
【国際調査報告】
2013545361.tif 000032
2013545361.tif 000033
2013545361.tif 000034
2013545361.tif 000035